(57)【特許請求の範囲】
【請求項１】
所定の場所に固定される据え置き型の電動ウインチにおいて、オフ方向に弾性的に突出する押し込み式のスイッチ部を有して、前記電動ウインチの電動モータの通電を制御するリミットスイッチと、前記スイッチ部を直接押し込む方向に付勢されて、該リミットスイッチをオンオフ自在に揺動するスイッチレバーと、該スイッチレバーと接触して前記リミットスイッチをオフする方向に前記スイッチレバーを揺動させる規制ディスクとを備え、前記規制ディスクをワイヤの任意の位置に着脱可能に固定することを特徴とした電動ウインチのリミットスイッチ装置。
【請求項２】
リミットスイッチとスイッチレバーとを、電動ウインチに着脱可能な固定座を有するフレームに設けて、前記電動ウインチとは別にユニット化した請求項１記載の電動ウインチのリミットスイッチ装置。
【請求項３】
規制ディスクは、中心にワイヤの挿通孔を有する円形のディスク本体と、挿通したワイヤに前記円形ディスクを固定する部材とからなる請求項１または２記載の電動ウインチのリミットスイッチ装置。
【請求項４】
スイッチレバーは、棒材をコ字型に形成し、その平行する二本の棒材間をワイヤが挿通するように、開放端を揺動自在に軸支した請求項１、２または３記載の電動ウインチのリミットスイッチ装置。
【請求項５】
スイッチレバーは、さらに、平行する二本の棒材をワイヤの巻き取り方向に湾曲する弓形に形成した請求項４記載の電動ウインチのリミットスイッチ装置。
【請求項６】
電動モータとしてギヤードモータを採用した電動ウインチに装着する請求項１から５のうち何れか一項記載の電動ウインチのリミットスイッチ装置。
【発明の詳細な説明】
【技術分野】
【０００１】
この発明は、電動ウインチの巻き取り動作中に任意の位置で当該動作を自動停止するリミットスイッチ装置に関するものである。
【背景技術】
【０００２】
従来、電動ウインチにおいて、過度の巻き取りを防止するため、リミットスイッチを備えたものは公知である（例えば、特許文献１）。この場合、リミットスイッチはウインチ本体に装備され、巻き取り動作中、ワイヤやチェーンの先端部のフックがリミットスイッチのスイッチレバーに接触することで、電動ウインチを自動的にスイッチオフ（動作停止）するように構成されている。
【先行技術文献】
【特許文献】
【０００３】
【特許文献１】実開平１−１６９５９７号公報
【発明の概要】
【発明が解決しようとする課題】
【０００４】
従来のリミットスイッチ付き電動ウインチは、リミットスイッチがウインチ本体に固定されており、しかも、スイッチレバーをフックによって作動させるものであるため、巻き取り動作の停止位置が常に同じである。即ち、従来の電動ウインチは、フックがウインチ本体に接近した時点（ワイヤ等の最大巻き取り時点）で動作を停止することにより、フックの巻き込みを防止しているに過ぎない。
【０００５】
しかし、荷役の対象物や目的によっては、ワイヤ等を最大に巻き取らずに、その途中で巻き取りを停止したい場合もあったが、従来は、人がリモコンを操作する以外に方法はなかった。
【０００６】
本発明は上述した課題を解決するためになされたもので、その目的とするところは、予め設定した任意の位置で巻き取り動作を停止する電動ウインチのリミットスイッチ装置を提供することである。
【課題を解決するための手段】
【０００７】
所定の場所に固定される据え置き型の電動ウインチにおいて、オフ方向に弾性的に突出する押し込み式のスイッチ部を有して、前記電動ウインチの電動モータの通電を制御するリミットスイッチと、前記スイッチ部を直接押し込む方向に付勢されて、該リミットスイッチをオンオフ自在に揺動するスイッチレバーと、該スイッチレバーと接触して前記リミットスイッチをオフする方向に前記スイッチレバーを揺動させる規制ディスクとを備え、前記規制ディスクをワイヤの任意の位置に着脱可能に固定するという手段を用いた。
【０００８】
この手段によれば、リミットスイッチをスイッチレバーを介してオンオフする規制ディスクが、従来のようにフック一体型ではなく、フックを含めた電動ウインチ全体から独立した状態にあり、ワイヤの任意の位置に取付けるようにしたので、電動ウインチの停止タイミングを任意に設定できるようになる。特に、電動モータとしてギヤードモータを採用した電動ウインチに適用することで、確実に過度の巻き取りを防止することができる。ギヤードモータは短時間で大トルクを発生する特性を有するところ、従来のように、フックによってリミットスイッチを作動させる構成とすると、大トルクによって惰性が生じ、フックを巻き込むおそれがあるが、本発明では、規制ディスクをフックから離れた位置に取付けることができるため、フックの巻き込みを確実に防止できるのである。
【０００９】
また、リミットスイッチとスイッチレバーとを、電動ウインチに着脱可能な固定座を有するフレームに設けて、前記電動ウインチとは別にユニット化することによって、このスイッチユニットを電動ウインチ本体から別の場所に付け替えることができ、電動ウインチの停止タイミングをより広範に設定することできるようになる。
【００１０】
なお、規制ディスクは、任意の形状とすることができるが、中心にワイヤの挿通孔を有する円形のディスク本体と、挿通したワイヤに前記円形ディスクを固定する部材とからなることが好ましい。ディスク本体が円形であることにより、スイッチレバーに対して均等な機会を持って接触することを担保できるからである。
【００１１】
また、スイッチレバーは、任意の形状とすることができるが、棒材をコ字型に形成し、その平行する二本の棒材間をワイヤが挿通するように、開放端を揺動自在に軸支することが好ましい。規制ディスクとの接触が二本の棒材で行われ、確実にリミットスイッチをオンオフ制御できるからである。
【００１２】
さらに、スイッチレバーは、平行する二本の棒材をワイヤの巻き取り方向に湾曲する弓形に形成することが好ましい。ワイヤがやや斜め方向に巻き取られる場合でも、規制ディスクとの接触が確実に行われるからである。
【発明の効果】
【００１３】
本発明では、リミットスイッチのスイッチレバーと接触してリミットスイッチをオフする規制ディスクをワイヤの任意の位置に着脱可能としたので、ワイヤを任意の位置で停止できるようになり、これにより電動ウインチを荷の昇降だけでなく、門扉やカーテン、テント、蓋、バリヤ、パーティション等の開閉や、幟や垂れ幕等の上げ下げなど、幅広い用途に使用することができる。
【図面の簡単な説明】
【００１４】
【図１】本発明の一実施形態に係るリミットスイッチ装置の全体斜視図（スイッチオン状態）
【図２】同、スイッチユニットの斜視図（スイッチオフ状態）
【図３】同、規制ディスクの分解斜視図
【図４】同、使用例を示した正面図
【図５】同、使用例を示した平面図
【発明を実施するための形態】
【００１５】
以下、本発明の好ましい実施の形態を添付した図面に従って説明する。図１は、本発明の一実施形態に係るリミットスイッチ装置を示した全体斜視図であり、図中、１はスイッチユニット、２は規制ディスクである。
【００１６】
スイッチユニット１は、固定座３ａの両側に側板３ｂを有するコ字状のフレーム３と、該フレーム３の片側の側板３ｂ内面に装着したリミットスイッチ４と、金属棒をコ字型に折曲し、平行する二本の棒材５ａの開放端５ｂをフレーム３の両側板３ｂに揺動自在に軸支したスイッチレバー５とからなる。
【００１７】
リミットスイッチ４は、図２に示すように、スイッチレバー５側の側面にスイッチ部４ａを有し、このスイッチ部４ａがスイッチレバー５によって内部に押されることにより、スイッチがオンするものである。逆に、スイッチレバー５による押し込みが解除されると、スイッチがオフとなる。そして、スイッチがオンの状態では、図示しない結線により、電動ウインチが通電状態となる一方、スイッチがオフの状態では、電動ウインチの通電が停止され、巻き取り動作が停止する。
【００１８】
なお、図１（実線部分）はスイッチオンの状態（通電状態）を示し、図２（実線部分）はスイッチオフの状態（動作停止状態）を示している。
【００１９】
このようにリミットスイッチ４を操作するアクチュエータとしてのスイッチレバー５は、コイルバネ６によって、リミットスイッチ４側に付勢されており、常態では、リミットスイッチ４のスイッチ部４ａを押し込んでオン状態を維持している（図１参照）。一方、コイルバネ６の付勢力に抗して、スイッチレバー５にリミットスイッチ４から離間する方向に揺動するような外力が作用した場合は、スイッチ部４ａが弾性的に突出して、リミットスイッチ４がオフとなる（図２参照）。そして、外力が解除されれば、再度、図１の状態に戻る。ただし、コイルバネ６に代えて、ラチェット方式を採用することも可能である。
【００２０】
また、この実施形態においてスイッチレバー５は、平行する二本の棒材５ａの間にワイヤＹを挿通させているところ、これら棒材５ａはワイヤＹの巻き取り方向に湾曲するような弓形に形成されている。
【００２１】
他方、規制ディスク２は、ワイヤＹの任意の位置に着脱可能に固定されるもので、この実施形態の場合、図３に示すように、円形のディスク本体７と、固定台８及びＵ字ボルト９とからなる固定部材とで構成している。ディスク本体７はワイヤＹを中心に誘導するスリット７ａを有し、このスリット７ａの端部にはディスクの表面それぞれに垂直に迫り出す固定台８の取付座７ｂを溶接している。固定台８は、ワイヤＹの下半が係合する円弧状の溝８ａが形成されている。そして、固定台８に係合したワイヤＹに対してＵ字ボルト９を固定台８の反対側からワイヤＹに係合し、その両端を固定台８を介して取付座７ｂの反対面に突出させ、ナット１０を締結することにより、図１に示したように、規制ディスク２をワイヤＹに固定することができる。
【００２２】
このような構成であるので、ナット１０を緩めれば、規制ディスク２をワイヤＹに沿って移動させることができ、規制ディスク２の任意の位置決めが可能である。
【００２３】
なお、図３では、規制ディスク２の片面のみに固定部材を示したが、もう片面にも同じような固定部材を用意し、規制ディスク２の両面で一対の固定部材によりディスク本体７をワイヤＹに固定するようにしてもよい。
【００２４】
図４・５は、上記リミットスイッチ装置の使用例を示したものである。この使用例では、スイッチユニットを電動ウインチＷに装着している。即ち、図例の電動ウインチＷは、電動モータＭとワイヤＹのドラムＤを横並びに装備しており、そのドラムＤの側板の外側にスイッチユニットのフレーム３の側板３ｂをボルト等（図示せず）によって固定している。このとき、スイッチユニットのスイッチレバー５はドラムＤ側に位置して、その内部をワイヤＹが挿通している。
【００２５】
そして、ワイヤＹの巻き取り動作中、その任意の位置に取付けた規制ディスク２がスイッチレバー５と接触し、ドラムＤ側に押圧することで、図２に示したスイッチオフの状態となり、電動ウインチＷの巻き取り動作が停止する。
【００２６】
なお、スイッチレバー５を上述のように弓形に形成したので、図４において一点鎖線で示したように、ワイヤＹがドラムＤに対して斜め方向から巻き取られる場合であっても、規制ディスク２をスイッチレバー５に確実に接触させることができる。
【００２７】
また、規制ディスク２を円形とし、さらにスイッチレバー５は上述のように平行する二本の棒材を主要部としているので、図５に示したように、ワイヤＹがほぼ全量ドラムＤに巻き取られた位置（波線で示した規制ディスク２を参照）にあっても、その中途の位置（一点鎖線で示した規制ディスク２を参照）にあっても、確実に両者を接触させることができる。
【００２８】
さらに、本発明のスイッチユニットは電動ウインチＷに対して着脱可能であるので、その取り付け態様を変更することで、ワイヤＹを水平に巻き取る水平型（この場合、図４は正面図、図５は平面図となる）と、ワイヤＹを上下方向に巻き取る垂直型（この場合、図５が正面図となり、図４は側面図となる）の双方に適用することができる。
【００２９】
さらにまた、スイッチユニットを電動ウインチから独立して、別の場所に固定するといった使用例もある。
【００３０】
なお、本発明で対象とする電動ウインチＷは、所定の場所に固定する据え置き型であって、動作中に重量バランスを考慮する必要がある吊り下げ型は想定していない。また、この電動ウインチで採用するモータは、ギヤードモータであることが好ましい。短時間で大トルクを発生し、巻き上げ駆動の立ち上がりが早いからである。さらに、このギヤードモータはブレーキ付きギヤードモータであることが、より好ましいものである。動作停止時にモータの回転を機械的に抑制し、荷を確実に定位置に止めておくことができるからである。
【符号の説明】
【００３１】
１  スイッチユニット
２  規制ディスク
３  フレーム
３ａ  固定座
４  リミットスイッチ
４ａ  スイッチ部
５  スイッチレバー５
５ａ  平行する二本の棒材
６  コイルバネ
７  ディスク本体
７ａ  スリット
８  固定台
９  Ｕ字ボルト
Ｙ  ワイヤ
Ｗ  電動ウインチ
【図１】
0006396108.tif 000002
【図２】
0006396108.tif 000003
【図３】
0006396108.tif 000004
【図４】
0006396108.tif 000005
【図５】
0006396108.tif 000006